(57)【要約】    【課題】本考案は、一つの器具によりプレートを押さえる動作と締結軸を引き上げる動作と締結軸を切断する動作とを片手のみの操作で行い得る医療用カッターを提供することを目的とする。    【解決手段】本考案に係る医療用カッターＡは、それぞれ刃部１１，２１と把持部１２，２２とそれらの中間に位置する交差部１３，２３とからなる一対の第１刃体１０及び第２刃体２０を、その交差部において互いに回転可能に交差させ、前記刃部における刃先１１ａ，２１ａを第１刃体及び第２刃体の回転方向と直交する方向に形成すると共に互いに突き合うように構成し、第１刃体及び第２刃体の各把持部に、可撓性材料よりなり、少なくとも刃先が突き合ったときに刃先の突き合う位置と交差部の回転中心とを結ぶ線上において先端が接触する掴み片１５，２５を設けてなることを特徴とするものである。    【選択図】図１
0003118904.tif 000002
【実用新案登録請求の範囲】
【請求項１】
それぞれ刃部と把持部とそれらの中間に位置する交差部とからなる一対の第１刃体及び第２刃体を、その交差部において互いに回転可能に交差させ、
前記刃部における刃先を第１刃体及び第２刃体の回転方向と直交する方向に形成すると共に互いに突き合うように構成し、
第１刃体及び第２刃体の各把持部に、可撓性材料よりなり、少なくとも刃先が突き合ったときに刃先の突き合う位置と交差部の回転中心とを結ぶ線上において先端が接触する掴み片を設けてなることを特徴とする
医療用カッター。
【請求項２】
掴み片の先端が、刃先と離隔する方向向きに形成されていることを特徴とする請求項１に記載の医療用カッター。
【請求項３】
各掴み片が各把持部毎に取り付けられた中間部材を介して各把持部に設けられてなることを特徴とする請求項１又は２に記載の医療用カッター。
【請求項４】
第１刃体の把持部に取り付けられた中間部材は第２刃体の刃部に対して摺動可能に取り付けられ、第２刃体の把持部に取り付けられた中間部材は第１刃体の刃部に対して摺動可能に取り付けられてなることを特徴とする請求項３に記載の医療用カッター。
【請求項５】
刃部に突軸を設け、中間部材に前記突軸が嵌合する長孔を設けて前記突軸が長孔を移動することにより、中間部材が刃部に対して摺動可能としたことを特徴とする請求項４に記載の医療用カッター。
【請求項６】
第１刃体の把持部に対する中間部材の取付位置と第２刃体の刃部の突軸の配設位置を結ぶ直線及び第２刃体の把持部に対する中間部材の取付位置と第１刃体の刃部の突軸の配設位置を結ぶ直線が、それぞれ刃先が突き合ったときに刃先の突き合う位置と交差部の回転中心とを結ぶ線と平行になるように中間部材を配置したことを特徴とする請求項５に記載の医療用カッター。
【請求項７】
各把持部が互いに拡開する方向に付勢力が働くバネを設けてなる請求項１〜６のいずれか１項に記載の医療用カッター。
【考案の詳細な説明】
【技術分野】
【０００１】
本考案は、骨接合用プレート（以下、単に「プレート」と略称する場合がある。）固定する際に使用する医療用カッターに関し、主として頭蓋骨の一部を切除し、所用の手術を行った後、切除した頭蓋骨を元に戻して周囲の頭蓋骨に連結するためのプレートを固定する際に使用する医療用カッターに関する。
【背景技術】
【０００２】
従来の医療方法においては、中央に挿通孔を有する花びら状のプレート２枚と、一端は該挿通孔に挿通可能な透孔端であり、他端は拡開して前記挿通孔を通過できない止定端である締結軸とを一組にし、これを複数組使用することが行われている。その使用方法は、まず１枚のプレートを締結軸の止定端まで挿通し、頭蓋骨の切除した部分と切除されていない部分との境界位置における頭蓋骨の切除されていない部分の下側に締結軸を挿通したプレートの半部を挟み込む。そして、残るプレートの半部の上に切除した頭蓋骨が配置されるように頭蓋骨を元に戻し、切除した頭蓋骨と周囲の頭蓋骨との隙間から突き出している締結軸にもう１枚のプレートを挿通して切除した頭蓋骨と周囲の頭蓋骨との境界部に覆い重ね、カッターで締結軸を挟むと共に上側のプレートを押さえながらペンチで締結軸を引き上げ、２枚のプレート間に頭蓋骨が強く挟み込まれる状態に至った時点でカッターにて締結軸を切断し、その切断端縁が切断時の剪断力により変形するので、締結軸が上側プレートから抜け出なくなり、切除した頭蓋骨と周囲の頭蓋骨とが２枚のプレートにより強固に挟まれて固定される。
【考案の開示】
【考案が解決しようとする課題】
【０００３】
しかしながら、上記の従来の医療方法による頭蓋骨の固定は、締結軸付きのプレートを頭蓋骨の下に装着して切除した頭蓋骨を嵌め、締結軸にプレートを挿通して、一方の手でカッターによりプレートを押さえながら他方の手でペンチにより締結軸を引き上げるという動作を繰り返し行わなければならないため、両手が塞がることによる不便さ及び器具の持ち替えによる動作の煩雑さ等に起因する作業性の悪化、使用済みの器具に対する消毒の面倒さなどの欠点があった。
【０００４】
そこで、本考案者は、鋭意研究を重ねた結果、一つの器具によりプレートを押さえる動作と締結軸を引き上げる動作と締結軸を切断する動作とを片手のみの操作で行い得る医療用カッターを開発した。
【課題を解決するための手段】
【０００５】
本考案に係る医療用カッターは、それぞれ刃部と把持部とそれらの中間に位置する交差部とからなる一対の第１刃体及び第２刃体を、その交差部において互いに回転可能に交差させ、前記刃部における刃先を第１刃体及び第２刃体の回転方向と直交する方向に形成すると共に互いに突き合うように構成し、第１刃体及び第２刃体の各把持部に、可撓性材料よりなり、少なくとも刃先が突き合ったときに刃先の突き合う位置と交差部の回転中心とを結ぶ線上において先端が接触する掴み片を設けてなることを特徴とするものである。
【０００６】
上記のように構成したことにより、把持部を開閉して刃先を開閉させると、交差部の回転中心を基準とすれば、把持部を閉じて刃先を閉じたときは、刃先は前進し、把持部は後退する。逆に把持部を開いて刃先を開いたときは、刃先は後退し、把持部は前進する。刃先の位置を基準にした場合には、刃先の開閉による把持部の進退が増幅する。そうすると、把持部を閉じると把持部に設けた掴み片は、接触すると共に後退することになる。
【０００７】
この作用を利用すると、医療用カッターの刃先の間及び掴み片の間に締結軸を挟み込むと共に刃先をプレートにあてがって押しつけながら把持部を閉塞し始めると締結軸は掴み片により引き上げられることになり、把持部を閉塞した状態では締結軸は最も強く引き上げられ、さらに把持部を力強く閉塞すると締結軸は刃先により切断されることになる。
【０００８】
また、上記の掴み片の先端が、刃先と離隔する方向向きに形成される構成としてもよい。このように構成した場合には、上記の作用に加え、掴み片が締結軸を挟み込んでる状態において掴み片を接触させる方向に力がさらに加わると、掴み片が変形して後退するのでさらに締結軸を引き上げる方向に力が加わることになる。
【０００９】
さらに、上記の各掴み片が各把持部毎に取り付けられた中間部材を介して各把持部に設けられてなる構成としてもよい。このように構成した場合には、上記の作用に加え、把持部の開閉による上記の作用は中間部材を介して掴み片に伝わるので、掴み片は同様の作用を行うことができ、かつ、中間部材を変更すれば掴み片の位置を刃部側に近づけることが可能となる。
【００１０】
さらにまた、上記の第１刃体の把持部に取り付けられた中間部材は第２刃体の刃部に対して摺動可能に取り付けられ、第２刃体の把持部に取り付けられた中間部材は第１刃体の刃部に対して摺動可能に取り付けられてなる構成としてもよい。例えば、刃部に突軸を設け、中間部材に前記突軸が嵌合する長孔を設けて前記突軸が長孔を移動することにより、中間部材が刃部に対して摺動可能とした構成とする。このように構成した場合には、上記の作用に加え、中間部材が把持部と刃部とで支持されることになるので安定する。
【００１１】
また、第１刃体の把持部に対する中間部材の取付位置と第２刃体の刃部の突軸の配設位置を結ぶ直線及び第２刃体の把持部に対する中間部材の取付位置と第１刃体の刃部の突軸の配設位置を結ぶ直線が、それぞれ刃先が突き合ったときに刃先の突き合う位置と交差部の回転中心とを結ぶ線と平行になるように中間部材を配置した構成としてもよい。このように構成した場合には、上記の作用に加え、中間部材が刃先の突き合う位置と交差部の回転中心とを結ぶ線に対して平行に近接及び離隔するので、中間部材の動きがスムーズであると共に掴み片に対して働く力もスムーズに作用する。
【００１２】
さらに、各把持部が互いに拡開する方向に付勢力が働くバネを設けてなる構成としてもよい。このように構成した場合には、上記の作用に加え、把持部に対する握力を解除した場合には、把持部はバネにより拡開するので、次の使用に着手しやすい。
【考案の効果】
【００１３】
本考案に係る医療用カッターは、上記の構成による作用により、一つの器具によりプレートを押さえる動作と締結軸を引き上げる動作と締結軸を切断する動作とを片手のみの操作で行うことができるので、従来の医療方法における両手が塞がるという不便さがなくなると共に、常に片手が空いているので器具の持ち替えが少なくて済み、作業性が向上する。しかも、器具が一つになるので、消毒作業も軽減される利点がある。
【考案を実施するための最良の形態】
【００１４】
以下に、本考案の好適な実施例を添付の図面に基づいて詳細に説明する。
【００１５】
図１は本実施例に係る医療用カッターの斜視図であり、図２は本実施例に係る医療用カッターの正面図であり、図３は本実施例に係る医療用カッターの背面図であり、図４は本実施例に係る医療用カッターの左側面図であり、図５は本実施例に係る医療用カッターの右側面図であり、図６は本実施例に係る医療用カッターの平面図であり、図７は本実施例に係る医療用カッターの底面図であり、図８は本実施例に係る医療用カッターの刃先を閉じた状態を示す正面図であり、図９は本実施例に係る医療用カッターの刃先を全開したときの使用状態を示す要部正面図であり、図１０は本実施例に係る医療用カッターの刃先を半閉じしたときの使用状態を示す要部正面図であり、図１１は本実施例に係る医療用カッターの刃先を閉じたときの使用状態を示す要部正面図であり、図１２は本実施例に係る医療用カッターの頭蓋骨を連結した状態を示す断面図である。
【００１６】
各図において、Ａは本実施例に係る医療用カッターを示し、医療用カッターＡは、主として一対の第１刃体１０と第２刃体２０とから構成される。第１刃体１０は、第１刃部１１と第１把持部１２とそれらの中間に位置する第１交差部１３とからなり、同様に第２刃体２０は、第２刃部２１と第２把持部２２とそれらの中間に位置する第２交差部２３とからなり、第１刃体１０及び第２刃体２０を、それぞれの第１交差部１３及び第２交差部２３において互いに交差させ、各交差部１３，２３の中央において第１刃体１０及び第２刃体２０は雌雄のねじ１，２により回転可能に軸止されている。
【００１７】
第１刃部１１及び第２刃部２１は、それぞれその先端に第１刃先１１ａ及び第２刃先２１ａが設けられており、これら第１刃先１１ａ及び第２刃先２１ａは、第１刃部１１及び第２刃部２１が回転する方向と直交する方向に形成されており、第１刃先１１ａ及び第２刃先２１ａは、それぞれ互いに突き合うように構成されている。これにより、第１刃先１１ａ及び第２刃先２１ａが閉じられると、両刃先１１ａ，２１ａ間に挟まれている物は切断されることになる。
【００１８】
第１刃体１０の第１把持部には、第１中間部材１４が設けられており、この第１中間部材１４を介して第１掴み片１５が設けられている。また、同様に第２刃体２０の第２把持部には、第２中間部材２４が設けられており、この第２中間部材２４を介して第２掴み片２５が設けられている。
【００１９】
本実施例においては、上記の第１刃体１０の第１把持部１２に取り付けられた第１中間部材１４は、第２刃体２０の第２刃部２１に設けた突軸２１ｂが嵌合する長孔１４ａを有しており、また、第２刃体２０の第２把持部２２に取り付けられた第２中間部材２４は、第１刃体１０の第１刃部１１に設けた突軸１１ｂが嵌合する長孔２４ａを有しており、これにより、第１刃体１０の第１把持部１２に取り付けられた第１中間部材１４は第２刃体２０の第２刃部２１に対して摺動可能となり、第２刃体２０の第２把持部２２に取り付けられた第２中間部材２４は第１刃体１０の第１刃部１１に対して摺動可能となる。しかも、第１刃体１０の第１把持部１２に対する第１中間部材１４の取付位置と第２刃体２０の第２刃部２１の突軸２１ｂの配設位置を結ぶ直線及び第２刃体２０の第２把持部２２に対する第２中間部材２４の取付位置と第１刃体１０の第１刃部１１の突軸１１ｂの配設位置を結ぶ直線が、それぞれ各刃先１１ａ，２１ａが突き合ったときに各刃先１１ａ，２１ａの突き合う位置と交差部１３，２３の回転中心とを結ぶ線と平行になるように各中間部材１４，２４を配置した構成としている。
【００２０】
上記のように本実施例における第１中間部材１４及び第２中間部材２４を構成しているので、各中間部材１４，２４が各把持部１２，２２と各刃部１１，２１とで安定的に支持され、各中間部材１４，２４が刃先１１ａ，２１ａの突き合う位置と交差部１３，２３の回転中心とを結ぶ線に対して平行に近接及び離隔するので、各中間部材１４，２４の動きがスムーズであると共に各掴み片１５，２５に対して働く力もスムーズに作用する。
【００２１】
上記第１掴み片１５及び第２掴み片２５は、可撓性の材料、例えば、シリコン樹脂などのやや剛性のある合成樹脂片や靱性のある金属片等の復元性のある材料から構成される。これら第１掴み片１５及び第２掴み片２５は、前記の第１刃先１１ａ及び第２刃先２１ａが突き合う位置と各交差部１３，２３の回転中心、すなわち、本実施例においては交差部１３，２３の中心に配した雌雄のねじ１，２の位置とを結ぶ線上において、第１掴み片１５及び第２掴み片２５の各先端が接触するように設けられている。なお、各刃先１１ａ，２１ａが全開している状態で既に各掴み片１５，２５の各先端が接触するように構成してもよく、また、各刃先１１ａ，２１ａが閉じられていく過程で各掴み片１５，２５の各先端が接触するように構成してもよく、少なくとも、各刃先１１ａ，２１ａが閉じられた状態では各掴み片１５，２５の各先端が接触する状態になるように構成する。
【００２２】
上記のように構成したことにより、第１把持部１２及び第２把持部２２を開閉させることにより、第１刃先１１ａ及び第２刃先２１ａを開閉させると、各交差部１３，２３の回転中心を基準とすれば、各把持部１２，２２を閉じて各刃先１１ａ，２１ａを閉じたときは、各刃先１１ａ，２１ａはその回転移動により前進し、各把持部１２，２２は同じく回転移動により後退する。逆に各把持部１２，２２を開いて各刃先１１ａ，２１ａを開いたときは、各刃先１１ａ，２１ａはその回転移動により後退し、各把持部１２，２２は同じく回転移動により前進する。各刃先１１ａ，２１ａの位置を基準にした場合には、各刃先１１ａ，２１ａを開閉させると各把持部１２，２２が開閉し、その際の各把持部１２，２２の進退が各交差部１３，２３の回転中心を基準としたときよりも増幅する。その結果、各把持部１２，２２を閉じると各把持部１２，２２に設けた各掴み片１５，２５は、接触すると共に後退することになる。
【００２３】
上記の作用を利用した使用状態について、図９〜図１１に基づいて具体的に説明する。図９に示すように、切離された頭蓋骨Ｂ，Ｃを挟むプレートＤ，Ｅに挿通された締結軸Ｆを医療用カッターＡの全開状態にある各刃先１１ａ，２１ａの間及び各掴み片１５，２５の間に挟み込むと共に各刃先１１ａ，２１ａをプレートＥにあてがって押しつける。そして、図１０に示すように、医療用カッターＡの各刃先１１ａ，２１ａをプレートＥに押しつけながら各把持部１２，２２を閉塞し始めると各刃先１１ａ，２１ａが閉塞し始め、それと共に各刃先１１ａ，２１ａが前進し、各掴み片１５，２５が後退するので、締結軸ＦはプレートＥと離れる方向に引き上げられることになる。さらに、各把持部１２，２２を締結軸Ｆが切断する寸前まで閉塞し続けると、図１１に示すように、締結軸Ｆは最も強く引き上げられることになり、やや湾曲した形状なすプレートＤ，Ｅが平板な状態となって両プレートＤ，Ｅ間に頭蓋骨Ｂ，Ｃが強固に挟み込まれることになる。そして、さらに各把持部１２，２２を力強く閉塞すると締結軸Ｆは各刃先１１ａ，２１ａにより切断され、図１２で示す状態となる。
【００２４】
本実施例においては、上記の各掴み片１５，２５を左右対称型の「へ」の字形に折曲し、その先端１５ａ，２５ａを各刃先１１ａ，２１ａと離隔する方向向きに形成して、各掴み片１５，２５が締結軸Ｆを挟み込んでる状態において各掴み片１５，２５を接触させる方向に力が加わった際に、各掴み片１５，２５が変形して後退する要に構成しているので締結軸Ｆを引き上げる方向に力がより一層加わることになる。
【００２５】
なお、本実施例においては第１中間部材１４及び第２中間部材２４を各把持部１２，２２と各刃部１１，２１とに跨るように構成し、各中間部材１４，２４に各掴み片１５，２５設けたが、必ずしもこの中間部材を設けなくてもよく、また、把持部のみに固定するようにしてもよい。その場合には、中間部材を変更すれば掴み片の位置を刃部側に適宜近づけることが可能となる。
【００２６】
図中の３は、各把持部１２，２２が互いに拡開する方向に付勢力が働くように設けたバネであり、把持部１２，２２に対する握力を解除した場合には、把持部１２，２２はバネ３により拡開するので、次の使用に着手しやすい。図中の４は、当該医療用カッターを安定的に把持できように設けた指層通用リングである。
【００２７】
以上のように本実施例に係る医療用カッターＡを構成したので、一つの器具によりプレートＥを押さえる動作と締結軸Ｆを引き上げる動作と締結軸Ｆを切断する動作とを片手のみの操作で行うことができるので作業性が向上し、器具が一つであるため消毒作業も軽減される。
【図面の簡単な説明】
【００２８】
【図１】本考案に係る医療用カッターの斜視図である。
【図２】本考案に係る医療用カッターの正面図である。
【図３】本考案に係る医療用カッターの背面図である。
【図４】本考案に係る医療用カッターの左側面図である。
【図５】本考案に係る医療用カッターの右側面図である。
【図６】本考案に係る医療用カッターの平面図である。
【図７】本考案に係る医療用カッターの底面図である。
【図８】本考案に係る医療用カッターの刃先を閉じた状態を示す正面図である。
【図９】本考案に係る刃先を全開したときの使用状態を示す要部正面図である。
【図１０】本考案に係る医療用カッターの刃先を半閉じしたときの使用状態を示す要部正面図である。
【図１１】本考案に係る医療用カッターの刃先を閉じたときの使用状態を示す要部正面図である。
【図１２】本考案に係る医療用カッターの頭蓋骨を連結した状態を示す断面図である。
【符号の説明】
【００２９】
Ａ・・・・医療用カッター
Ｂ・・・・頭蓋骨
Ｃ・・・・頭蓋骨
Ｄ・・・・プレート
Ｅ・・・・プレート
Ｆ・・・・締結軸
１・・・・雄ねじ
２・・・・雌ねじ
３・・・・バネ
４・・・・指層通用リング
１０・・・第１刃体
１１・・・第１刃部
１１ａ・・第１刃先
１１ｂ・・突軸
１２・・・第１把持部
１３・・・第１交差部
１４・・・第１中間部材
１４ａ・・長孔
１５・・・第１掴み片
１５ａ・・第１掴み片の先端
２０・・・第２刃体
２１・・・第２刃部
２１ａ・・第２刃先
２１ｂ・・突軸
２２・・・第２把持部
２３・・・第２交差部
２４・・・第２中間部材
２４ａ・・長孔
２５・・・第２掴み片
２５ａ・・第２掴み片の先端
【図１】
0003118904.tif 000003
【図２】
0003118904.tif 000004
【図３】
0003118904.tif 000005
【図４】
0003118904.tif 000006
【図５】
0003118904.tif 000007
【図６】
0003118904.tif 000008
【図７】
0003118904.tif 000009
【図８】
0003118904.tif 000010
【図９】
0003118904.tif 000011
【図１０】
0003118904.tif 000012
【図１１】
0003118904.tif 000013
【図１２】
0003118904.tif 000014